(57)【要約】【課題】  改善され機能を有する吸入器を提供する。【解決手段】  本発明は粉末状物質、特に薬剤物質用の手動操作吸入器（１）において、手動操作によってある一定の投与量（２０’）を、排出ダクト（２１）の端部（ｂ）の口金開口部（１４）から空気で搬送するため、物質の貯蔵量（２０）から排出ダクトの手前の計量室（Ｄ）に分離し、排出のための空気流を発生するピストン（８）は、その円筒部（１５）の中空空間（１７）とともに物質の貯蔵室（ＳＶ）および計量室（Ｄ）を形成し、ピストン（８）の戻りストロークによって発生する負圧が、計量室（Ｄ）を物質の貯蔵量（２０）に対して開放し、さらに計量室（Ｄ）の底は空気透過性の膜によって形成させ、粉末状物質を細かく分散して運搬する強力な空気流を発生させるため、ピストンの運動によって発生する空気量が計量室（Ｄ）の容積の１００倍より多く、６００倍より少なくすることを提案している。
2006502752.tif 000002
【特許請求の範囲】
【請求項１】
粉末状物質、特に薬剤物質用の手動操作吸入器（１）において、手動操作によってある一定の排出量（２０’）を、排出ダクト（２１）の端部（ｂ）の口金開口部（１４）から空気で搬送するため、物質の貯蔵量（２０）から排出ダクトの手前の計量室（Ｄ）に分離し、排出のための空気流を発生するピストン（８）は、その円筒部（１５）の中空空間（１７）とともに物質の貯蔵室（ＳＶ）および計量室（Ｄ）を形成し、ピストン（８）の戻りストロークによって発生する負圧が、計量室（Ｄ）を物質の貯蔵量（２０）に対して開放し、さらに計量室（Ｄ）の底は空気透過性の膜によって形成される吸入器において、
ピストンの運動により発生する空気容積が、計量室（Ｄ）の容量の１００倍より多く、６００倍より少ないことを特徴とする吸入器。
【請求項２】
特に、円筒部（１５）はピストン（８）と反対側の端部（ｂ）に口金開口部（１４）を形成することを特徴とする請求項１に記載する吸入器。
【請求項３】
特に、排出ダクト（２１）がばね荷重を受けるピストン（８）の中央に伸びる円筒部内筒（２２）に形成され、その下側のピストン側端部（ａ）と反対側の端部（ｂ）に、排出量（２０’）が蒐集されることを特徴とする請求項１または２のいずれかに記載する吸入器。
【請求項４】
特に、手動操作のピストンのばねを加圧するストロークは排出ストロークであり、排出量（２０’）はばねによって行われるピストン（８）の戻りストロークで蒐集されることを特徴とする請求項１ないし３のいずれかに記載する吸入器。
【請求項５】
特に、物質貯蔵質（ＳＶ）の床（１８）の凹部（４５）に排出量（２０’）は蒐集され、凹部（４５）の上の縁（５０）が、円筒部内筒の密閉および開放位置に交互に接触することを特徴とする請求項１ないし４のいずれかに記載する吸入器。
【請求項６】
特に、開放位置への変化が、ピストン（８）の戻りストロークでピストンの背部に生ずる負圧による物質貯蔵室（ＳＶ）の床（１８）の弾性変形によって達成されることを特徴とする請求項１ないし５のいずれかに記載する吸入器。
【請求項７】
特に、物質貯蔵室（ＳＶ）の床（１８）の穴（４６）の、少なくとも口金開口部（１４）の方向に空気を透過するカバー（４７）によって特徴付けされる請求項１ないし６のいずれかに記載する吸入器。
【請求項８】
特に、物質貯蔵室（ＳＶ）の床（１８）および凹部（４５）が弾性のある膜で形成され、そのカップ状の内壁に中子部品（４８）が組み込まれ、その上の縁（５０）に対向閉鎖面を有する円筒部内筒（２２）が気密に接触することを特徴とする請求項１ないし７のいずれかに記載する吸入器。
【請求項９】
特に、ピストン（８）が戻りストロークと反対の方向に向くピストンカラー（１０）を備え、シリンダ（３）の内壁（１１）に滑りながら接触することを特徴とする請求項１ないし８のいずれかに記載する吸入器。
【請求項１０】
特に、カバー（４７）の透過性が粉末の粒度に関連して、床（１８）の最初の開放移動時に落下した薄い層の粉末量によって、開放方向の空気透過性を（２４）を排除することを特徴とする請求項１ないし８のいずれかに記載する吸入器。
【請求項１１】
特に、円筒部内筒（２２）を口金開口部（１４）の直ぐ手前まで伸ばし、周囲の円筒部材料（２３）に物質貯蔵室（ＳＶ）まで達する空気の流入ダクトを設けることを特徴とする請求項１ないし１０のいずれかに記載する吸入器。
【請求項１２】
特に、物質貯蔵室（ＳＶ）の上側範囲に流入空気を透過するカバー（１９）を設け、円筒部内筒（２２）を交叉して支持し、中心穴（４０）を排出ダクト（２１）と一致させることを特徴とする請求項１ないし１１のいずれかに記載する吸入器。
【請求項１３】
特に、排出ダクト（２１）は排出量蒐集場所において、排出方向（矢印ｙ）に漏斗状（２１’）に細くなることを特徴とする請求項１ないし１２のいずれかに記載する吸入器。
【請求項１４】
特に、中心孔（４０）の手前に排出方向に開く弁体（４３）が設けられることを特徴とする請求項１ないし１３のいずれかに記載する吸入器。
【請求項１５】
特に、手動操作によるビストン変位用反応しきい値によって特徴付けられる請求項１ないし１４のいずれかに記載する吸入器。
【請求項１６】
特に、反応しきい値はピストン背部のピストン円筒部（１５）のリング体に形成され、リング体（５３）がピストン（８）に付随するシリンダ壁（１１）の係合溝（５５）に係合することを特徴とする請求項１ないし１５のいずれかに記載する吸入器。
【請求項１７】
特に、計量室（Ｄ）は空気を透過する膜（４７）の上に配置され、ばねの戻りストロークで持ち上がる排出ダクト（２１）の端部側拡大範囲に形成されることを特徴とする請求項１ないし１６のいずれかに記載する吸入器。
【請求項１８】
特に、計量室（Ｄ）の周囲壁（５８）が排出方向（矢印ｙ）に円錐台状に広げられることを特徴とする請求項１ないし１７のいずれかに記載する吸入器。
【請求項１９】
特に、計量室（Ｄ）の周囲壁（５８）が弾性材料から構成され、物質貯蔵質（ＳＶ）の床（１８）と一体であることを特徴とする請求項１ないし１８のいずれかに記載する吸入器。
【請求項２０】
特に、中央の排出ダクト（２１）の両側に、共通の平面で物質貯蔵質（ＳＶ）へ伸びる２つの空気流入ダクト（２４）により特徴付けられる請求項１ないし１９のいずれかに記載する吸入器。
【請求項２１】
特に、空気流入ダクト（２４）が谷形にくびれた形状の支持面の中央平面に設けることを特徴とする請求項１ないし２０のいずれかに記載する吸入器。
【請求項２２】
粉末状物質、特に薬剤物質の手動操作吸入器（１）において、手動操作の場合に、排出ダクト（２１）の端部（ｂ）の口金開口部（１４）から空気に搬送させて排出するため、一定の排出量（２０’）を物質貯蔵室（２０）から排出ダクト手前の計量室（Ｄ）に分離し、排出空気流を発生する円筒部（１５）の空間（１７）を有するピストン（８）が、物質貯蔵室（ＳＶ）および計量室（Ｄ）を形成し、ピストン（８）の戻りストロークで発生する負圧が、計量室（Ｄ）を物質貯蔵量（２０）に対して開放し、さらに計量室（Ｄ）の床は空気透過性の膜で構成される吸入器において、
計量室（Ｄ）は円筒部（１５）の基本位置において物質貯蔵室（ＳＶ）に対して開放されていることを特徴とする吸引器。
【請求項２３】
特に、計量室（Ｄ）が物質貯蔵室（ＳＶ）に対して、円筒部（１５）および計量室（Ｄ）を形成するピストンカラーの間の無効ストローク（ＬＨ）によって開かれることを特徴とする請求項２２に記載する吸入器。
【請求項２４】
特に、物質貯蔵室（ＳＶ）の床（１８）がピストンカラーの一部で、円筒部（１５）の内壁を滑るように配置されることを特徴とする請求項２２または２３のいずれかに記載する吸入器。
【請求項２５】
特に、計量室（Ｄ）が一部はピストンカラーに形成された凹部（４５）、一部は計量室（Ｄ）の凹部（４５）の縁（５０）に気密に接触し、排出方向に細くなる円錐弁（６５）から構成されることを特徴とする請求項２２ないし２４のいずれかに記載する吸入器。
【請求項２６】
特に、無効ストローク（ＬＨ）はばねにより作動し、ピストンカラーのカラー部（６８）が円筒部（１５）の内壁の対応する幅の広いスリット（６９）と係合して形成されることを特徴とする請求項２２ないし２５のいずれかに記載する吸入器。
【請求項２７】
特に、ピストンカラーのシリンダ壁（１１）は床板（４）の短円筒（５９）から形成されることを特徴とする請求項２２ないし２６のいずれかに記載する吸入器。
【請求項２８】
特に、ばね（１２）は短円筒（５９）および吸入器（１）の外壁（６７）の間で短円筒（５９）の外側に伸びることを特徴とする請求項２２ないし２７のいずれかに記載する吸入器。
【請求項２９】
特に、円錐弁（６５）は自由になるよう切断され、排出方向に向いた唇状体（７１）を備え、その分割断面は厚くなっていることを特徴とする請求項２２ないし２８のいずれかに記載する吸入器。
【発明の詳細な説明】
【技術分野】
【０００１】
本発明は、粉末状物質特に薬剤物質の手動操作吸入器に関するもので，手動操作によってある一定の排出量を、排出ダクト端部の口金開口部から空気で搬送するため、物質の貯蔵量から排出ダクトの手前の計量室に分離し、排出のための空気流を発生するピストンはその円筒部の中空空間とともに物質の貯蔵室および計量室を形成し、ピストンの戻りストロークによって発生する負圧が、計量室を物質の貯蔵量に対して開放し、さらに計量室の底は空気透過性の膜によって形成される。
【背景技術】
【０００２】
特許文献１および特許文献２により，粉末状の物質を口で吸入する構想の吸入器の申請内容は既知である。吸引力は使用者の体質によって、個別に相当程度の差異がある。
【０００３】
特許文献３により、計量室からの吸入はポンプ／シリンダ装置によって作動する吸入器が知られる。
【０００４】
粉末状物質特に薬剤の投与は、搬送する空気への細かい分散とともに、空気流が常に同じ力強さで排出され、患者が普通に吸入するよりもできるだけ強力であることが必要である。こうすることにより粉末状の材料は確実に目的場所に到達することができる。この場合さらに分量が正確に再現できることが必要である。何よりも粉末状の物質であること、すなわち貯蔵物質量は固体でないことを前提とする。さらにピストンポンプによる解決策に対しては、不愉快な衝撃作用を解決しなければならない。強力な搬送空気流を発生できなければならないが、過度のものであってはならない。
【０００５】
本発明は特許文献４の対象から発生している。
【特許文献１】独国特許発明第ＤＥ４４  １５  ４６２号明細書
【特許文献２】欧州特許第０５６１８３８号明細書
【特許文献３】国際公開ＷＯ９０／０７３５１号パンフレット
【特許文献４】独国特許発明第ＤＥ１９９  ６３  ９４６号明細書
【発明の開示】
【発明が解決しようとする課題】
【０００６】
本発明の課題は、対象とする吸入器を上述の目的、または基準を確実に達成し使用上好都合に進展させることである。
【課題を解決するための手段】
【０００７】
この課題は先ず本質的に請求項１の特徴を有する吸入器によって解決され、特徴の組み合わせを補足してピストンの運動によって発生する空気流量が計量室の容積の１００倍より多いが、６００倍より少ないことに重点を置く。これにより強力で衝撃的でなく、粉末状の物質が細かく分布した空気流が得られる。粉末粒子の密度は何よりも空気流の容積により決定される。同時に空気透過性膜に対する強度な機械的荷重も回避できる。このような吸入器の寿命は高められる。計量室の容積の４００倍の空気流容量が好ましい。１０ｍｇの粉末状物質が約４ｍｌの空気流に収容される。計量室の容積はこの場合１０ｍｍ３である。さらにこの種の基本形態は特徴および特性を備えている。例えば、粉末状物質は吸入器の可動部品すなわちピストンの円筒部内に収納される。物質は常に円筒部とともに移動する。これに加えていわば機械的な揺動装置（前進および揺動運動が利用される）が、計量室の再充填の度に粉末状物質の滑り運動を発生させる。排出圧縮空気流は計量室の粉末で満たされた空間を通過し、空気の負圧が計量室を開く。粉末状物質の固塊化は実際的に防がれる。空気流は常に同じ強さで加えられる。このとき比較的断面の小さい排出ダクトに対して比較的大きなピストン断面が利用され、空気透過性膜の流れを弱める障害物がダクトの前に配置される。さらに円筒部のピストンと対向する端部に口金開口部を形成することを提案する。この口金開口部は空気流に関して最適な形状とする。さらに排出ダクトを、下側にばねによって荷重が加えられるピストンの円筒部の中心に伸びる円筒部内筒に形成し、そのピストン側の端部の下に排出量を集めると好都合である。このような中心システムは粉末状物質を蒐集するリング空間を提供し、計量に必要な精度のために必要である。さらに手動操作のピストンのばねに荷重を加えるストロークが排出ストロークであり、排出量はばねによるピストンの戻りストロークで蒐集すると好都合である。排出量の形成は実際的に自動で行われる。最後まで常に排出可能な量が用意される。排出量が物質貯蔵室の床の凹部に蒐集され、凹部の上部の縁が円筒部内筒の閉鎖および開放位置の間を交互に移動すると有利な計量室が達成できる。計量室の凹部の縁は、間接的または直接的に円筒部内筒に対して流入を防ぐように接触させることができる。内部の弾性により閉鎖位置に復帰すると好都合である。開放位置への移動は、ピストンの戻りストロークにおいてピストンの背部または下側に生ずる負圧による物質貯蔵室の床の弾性変位によって生ずる。このとき粉末状の物質は計量室に落下する。吸入流は、計量室に移動した容量に相当する容積を補充することによって、再び物質貯蔵室を充填レベル以上とする。物質貯蔵室の床の穴の空気透過性カバーは、一方では粉末を排出するためにできるだけ容易に空気を通過させるとともに、他方では反対方向に負圧が計量室の縁を、気密接触から充分に離さなければならない。フリースまたは織物の材料からなるフィルタシートを使用することができる。孔の大きさは１μである。粉末は通過することはできない。落下した粉末の最初の薄い層がこのような材料の穴を閉じる。構造的に有利な方法として、物質貯蔵室の床および凹部は弾���のあるカップ状の膜により構成し、カップの内壁は挿入部を形成し、その上縁が円筒部内筒の対向閉鎖面と気密に接触する。計量する量および物質貯蔵量は、膜が閉じた場合このようなカップ状の膜によって分離される。さらにピストンは戻りストロークと反対の方向に向いたピストンカラーを備え、シリンダの内壁と接触して滑るようにすることを提案する。ピストンカラーの背部の流れは、ピストンの戻りストロークの場合に均等な負圧を確実に発生させる。これによってカバーまたは膜が裂けることなどは防がれる。さらに有利な特徴は、粉末の細かい粒子に対するカバーの透過性は、床の最初の開放移動後に床に落下した薄い層の粉末量が開放方向における空気の透過性を取り除く。したがって円筒部内筒を口金開口部の直ぐ手前まで伸ばし、周囲の円筒部材料の壁に対して物質貯蔵室まで達する空気の流入ダクトを形成する有利な特徴が生れる。これによって粉末状の物質を混合させ、負圧源となる吸引空気流が発生する。この場合、物質貯蔵室の上の範囲に、円筒部内筒の両側に交差して支持される流入空気を透過し、中心の孔が排出ダクトと一致するカバーを設ける。排出ダクトは、円筒部内筒の周囲を空気が通過するが、粉末状の物質は抑止されるように連続して開放される。さらに排出量蒐集位置において、排出ダクトを漏斗状に細くすることを提案する。こうすることによって物質の進入範囲を広げ、搬送流に中心に向かう加速する効果を与える。粉末状物質の蒐集において、計量する排出量に対して悪影響を与える空気が生ずることを防止するため、障害物を設ける。これは中心孔の手前に排出方向に開く弁体を配置することにより構成される。計量室を形成する空間の計量室の開放位置への移行時の負圧による変形は、円筒部内筒の下側に空間を形成し、それに伴って非常に狭い範囲に限られた空気容量を発生させ、その空気容量は気密座の縁から弁障害物まで達する。さらに手動操作のピストン変位に対する反応しきい値によって有利な操作方法が得られる。反応しきい値は一定の操作圧力を発生させる。これは良好に制御できるように選定する。反応しきい値を克服できる抵抗が失われると、手動操作吸入器のケースに対するピストンの加速された変位が達成される。この詳しい構造は、反応しきい値をピストン円筒部のリング体をピストンカラーの後側に形成し、リング体がピストンに付随するシリンダ壁の係合溝に係合することによって具体化される。抵抗を形成するリング体を含む開放圧力は約２．５ｋｇである。リング体は楕円形のばねリングが好都合で、断面的にはシリンダの係合溝のない範囲の内法直径に収容されるようにする。
【０００８】
吸入器の有利な発展は、端部側の拡大範囲の計量室を床の空気を透過する膜またはカバーの上に設け、ばねの戻りストロークで持ち上げられる排出ダクトを形成することによって構成される。勿論実際の開放運動は床を持ち上げることよって実施される。均一に面に取り付けられ膜状に張られたカバーは計量室を達成し、最早部分的であっても排出ダクトを備えた円筒部内筒の端部区画によって形成されるのではなく、純然たる帽子状の範囲に限定される。これにより構造が簡単になる。さらに請求項１を特徴付ける条件が適用される。さらに計量室を取囲む壁は排出方向に円錐形に広げることを提案する。これにより計量室にとって、計量室の窪みの方向への蒐集が容易な計量室の環境が得られる。周囲の壁はすでに存在する部品と一体化される。これは計量室の周囲の壁を弾性材料から構成し、物質貯蔵室の床と一体に構成することによって具体化される。さらに構造的に好都合な対策が、中心の排出ダクトの同じ平面の両側に２つの物質貯蔵室への空気流入ダクトを設けることによって得られる。これによって、特に空気流入ダクトを谷形にくびれた形状の支持面の窪み部に配置する場合、細い構造形態の可能性が開かれる。
【０００９】
本発明は粉末状物質、特に薬剤物質の手動操作吸入器に関するもので、手動操作の場合に、排出ダクトの端部の口金開口部から空気に搬送させて排出するため、一定の排出量を物質貯蔵室から排出ダクト手前の計量室に分離し、排出空気流を発生する円筒部の空間を有するピストンが、物質貯蔵室および計量室を形成し、ピストンの戻りストロークで発生する負圧が、計量室を物質貯蔵量に対して開放し、さらに計量室の床は空気透過性の膜で構成し、計量室は円筒部の基本位置において物質貯蔵室に対して開放されていることを提案する。これによって充填路が開放されるので、ストロークと関係のない時間的に長い排出量の蒐集が達成される。排出操作すなわちディスペンサの使用期間は計量室は閉じる。したがって基本位置において、まだ開いている計量室にすでに用意されている排出量および物質貯蔵室のある貯蔵量の間の接触は保たれる。これは危険な物質に対しては有利である。開放の維持は、円筒部および計量室を形成するピストンカラー間の無効ストロークによって、計量室を物質貯蔵室に対し開放する、簡単に利用できる方法で達成することができる。ピストンは開放に関しては引張ピストンとして機能する。計量室は引っ張りおよび押し込みによって交互に開放されるか閉じられる。作動開始はピストンカラーおよびシリンダ壁の摩擦で行われる。さらに、物質貯蔵室の床はピストンカラーの一部であり、円筒部の内壁に滑りながら接触する利点がある。床は僅かに与圧を与えられ一方では気密に対する要求が考慮され、他方では良好な運動性が保たれる。さらに、計量室は一部がピストンカラーの凹部によって形成され、一部が計量室の凹部の縁に気密に配置される排出方向に細くなる円錐弁から構成される。円錐弁は移動する凹部詳しくは床に接近する固定されたカバーとして機能する。無効ストロークはばねにより作動し、ピストンカラーのカラー部が対応する円筒部の内壁の軸方向に向かって幅の広いスリットに係合することにより形成される。開放ストロークにより計量室の隙間は規定される。この構成においてピストンカラー用のシリンダは床板の短円筒から形成される。ばね室を構成するためピストンばねを短円筒の外側の、短円筒および吸入器の外壁の間のリング隙間に延びるようにすると好都合である。円錐弁に関しては、これを例えばドーム状またはピラミッド状に形成し、さらに円錐弁を排出方向に向いた弁フラップを備えるように切断し、その切断面を厚くする。これにより弁フラップに特有な運動性および復元力を保持し、それにも関らず対応する縁における良好に支持された比較的面積の広い閉鎖接触をもたらす。
【００１０】
本発明の対象は、以下図面に示される実施例によって詳細に荷説明する。
【発明の効果】
【００１１】
改善された機能を備えた吸入器が得られる。
【発明を実施するための最良の形態】
【００１２】
ポケット器具として形成される図示した吸入器１は、基本的に円形の断面を有するケース２を備えている。その構成要素は，ポンプとして動作するピストン／シリンダ装置の部品としてのシリンダ３である。
【００１３】
シリンダ３は底面側を底キャップ４によって気密に閉じられる。底キャップ４はシリンダ３の端部範囲にクリップ留めされる。
【００１４】
底キャップ４には乾燥剤室５が設けられる。この物質は小球６により図示される。乾燥剤室５はシリンダ３に保持される穴付板７または密閉する穴明きシートによって覆われる。
【００１５】
シリンダ３は長手方向に移動できるピストン８を案内する。これはピストンカラーとして形成される。設置面９に向いた方向に僅かに広げられたピストンカラー１０は、シリンダ３の円筒壁１１と軽い与圧を持って気密に案内される。ピストンのストロークは端部ストッパによって規制される。ピストンからー１０の調整は、規定した負圧を超えた場合、カラー１０ が壁１１から浮き上がり、ピストン８の下側の空間に流れ込む空気によって負圧を限定するようにする。
【００１６】
ピストン８はばねによる荷重を受けて吸入器１の基本位置（図３）にある。圧縮コイルばねであるばねは参照番号１２を持っている。
【００１７】
そのコイルばねの一端はビストン８の穴すなわちピストンカラーに係合し、他端は固定された穴付板７の支点に係合する。
【００１８】
弾性のあるピストンカラーは比較的硬い材料のピストン頭部１３を備えている。部品８および１３は組み合わせ射出成形法によって製作される。多成分射出成形法が利用される。
【００１９】
ピストン頭部１３には底部と反対側に、口金開口部１４の方向に伸びる円筒部１５に続いている。これは中空円筒の形状でピストン頭部１３に強固に固定される。対応する結合部を１６で示す。係合突起および係合溝は図から明らかである。
【００２０】
円筒部１５の空間１７は、物質の貯蔵室ＳＶを形成するために使用される。このピストン側は床１８により，口金開口部側はカバー１９によって閉じられる。
【００２１】
物質は粉末状の、特に薬剤でその貯蔵量は図面に２０で示される。この物質貯蔵量２０から、吸入器１の手動操作によって正確に再現することができる排出量２０’が計量室Ｄに分離される。分離は空間的に排出ダクト２１の手前、すなわちピストン８に向いた円筒部内筒２２の下端で実施される。円筒部内筒２２はばね力の加えられるピストン８の円筒部１５の中心にある。円筒部内筒２２は空間１７の全縦方向範囲を通過するだけではなく、さらに円筒部内筒２２を取囲む円筒材料２３まで続く。
【００２２】
中心の円筒部内筒２２の縦方向の幾何学的軸心は，吸入器１の回転対称の長手中心軸ｘ−ｘと一致する。リング状空間の貯蔵量２０に存在する限り、後で反対側端部の口金開口部１４、すなわち排出ダクト２１の上端から排出するための排出量２０’は、円筒部内筒２２ピストン側の端部に蒐集される。
【００２３】
円筒部内筒２２は、口金開口部１４の少し手前まで伸びる。円筒部内筒２２の周囲領域は、半径方向の隙間を持って円筒材料２３，正確に言えばその内壁により取囲まれるので、円筒材料２３は全長にわたってリング状の空間が残される。これは排出ダクト２１と同心に配置される空気流入ダクト２４を提供する。空気流入ダクトは物質貯蔵室ＳＶまで達し、口金開口部１４を経て大気と連通する。１４は同時に、特に粉末の容積が減少した場合の調整用呼吸穴である。
【００２４】
円筒材料２３は円筒１５のこん棒状の延長部２５である。その自由端部は、口金開口部１４の範囲を円頭形に形成して円錐台形に収斂される。このような短筒は、例えば使用者の鼻の孔に好都合に挿入される。
【００２５】
突起２５の根元側には窪み２６が設けられる。その底部と底部は向かい合い、凹面を経て幅の広い台座２７に移行する。台座２７とその部分の円筒１５の端部の間には、２８の記号を持つ係合部が考慮されている。係合部は図面に示されるように係合突起および適合する係合溝を備えている。
【００２６】
こん棒状の突起２５の肩部を形成する区間は、窪み２６により台座２７を指で押える面２９が形成され、これによってピストン８は円筒部１５を経て、ばねによる荷重に対抗して図４の位置に変位される。
【００２７】
ピストン８の円筒空間３０は、ほぼピストンの直径に相当する軸方向の長さを備えている。少なくともこの寸法だけ、円筒部１５の口金開口部側の端部区間は、シリンダ３の首部の縁３１を超えて軸方向に突き出す。首部の縁３１はシリンダ３の首部３２の上側端末である。首部３２の外面には外ねじが設けられ，吸入器１の保護キャップ３３の台座の適合する内ねじと噛み合う。保護キャップ３３の外面は、ねじの操作を容易にするため特に縦の刻み目によって面を荒らすことができる。
【００２８】
排出側の収斂するドーム３４の前に、上記の保護キャップ３３の内側に平らな面から閉止栓３５が突き出す。これは正しく閉じられた器具において、口金開口部１４を密閉して挿入される。
【００２９】
上記の口金開口部１４の下側の、排出ダクト２１の出口および口金開口部１４の開始点の間に中間室３６が残され、一方では空気流ダクト２４、他方では排出ダクト２１の相互の流れの分岐を形成する。円筒部内筒２２の端部は尖っている。したがって流入空気に対し斜めの案内肩部を形成する。
【００３０】
台座２７の部分で空気流入ダクト２４は軽く広げられる。円筒部内筒２２はその部分で壁厚さが僅か厚くなる。厚くなった範囲は台座２７の対応する凹部３７に位置する。これらは摩擦固定の挿入結合となり、ダクトを構成する２つ以上の縦方向の溝３８が形成される。溝３８はカバー１９の上側の自由空間３９に連通する。
【００３１】
カバー１９の高さで円筒部内筒２２の本体は中断されるが、流れに対しては中断されない。物質貯蔵室ＳＶの上の範囲で、円筒部内筒２２に両側から交差して支えられる流入空気が透過するカバー１９が形成される。排出ダクト２１の延長上を垂直方向に横切るカバー１９には孔４０が設けられる。適切な透過性は例えばフィルタ紙により提供される。
【００３２】
カバー１９は貫流開口部４２を設けた穴を明けた保持体４１によって支持される。開口部は肋骨材によって分離された円弧状開口部でもよい（図６参照）。円筒部の近くの肋骨材の材料は、上側が係合部２８のリングカラーによって保持体４１に連続的に縁が挟み込まるカバー１９の確実な支えを形成する。
【００３３】
同様な挟み込み支持は穴の近くでも実現される。カバー１９が横切る範囲で２分割の円筒部内筒２２の幅の広い突合せによって挟み込みが行われる。円筒部内筒２２の空間１７に収納される部品は保持体４１によって円筒部１５と一体となる。
【００３４】
中心孔４０の手前に弁体４３が設けられる。この弁体は弁座面４４とともに作動する。このような逆止弁は排出方向に開き、空気がダクト２１に流入した場合に閉じる。逆止弁は物質を搬送する流れによって囲まれる。それに属する弁室はその部分の管端部を適切に広げることによって達成される。弁体４３の弁軸は交叉した羽根状であるが、空気排出時に孔４０の中心部を閉じることはできない。
【００３５】
物質貯蔵量２０から分離された排出量２０’は，物質貯蔵室ＳＶの床１８の計量室凹部４５に集まる。計量室凹部は弾性のある柔軟な帽子状またはカップ状の形状体である。帽子の縁は係合位置１６の範囲にあり、上述のカバー１９で実施された縁挟み込みに類似している。
【００３６】
床１８、詳しく言えば引っ繰り返した帽子状に形成または組み込まれたカバーは、中央に孔４６が設けられる。この孔４６は空気を透過する膜またはカバー４７を備えている。適切なフィルタ材料の構成は、粉末状の物質はどちら側にも通過できず、既に述べたようにどんな場合でも口金開口部の方向に空気だけが通過する。
【００３７】
カップまたは帽子状体のカップ内壁に円筒状の中子部品４８が設けられ、カップ内壁における補強として作用する。この上部の内縁に、基本位置において円筒部内筒２２の端部が気密に接触している。これは床１８に内在する復元力によって発生する。上記の縁を参照番号５０によって示す。固定された円筒部内筒２２における端部の対抗閉鎖面を参照番号４９によって示す。円筒部内筒端部は外径を細くした端部が突き出す円錐台で、反対方向に向いた漏斗状に形成される。細くなった端部はカップ区間に進入する。端部は排出ダクト２１の入り口となる。これによって物質の搬送が最適化される。漏斗２１’は口金の方向に向かって細くなる。これにより空気により搬送される粉末状物質にワイングラス状の圧縮を生じ、細いダクト区間の流れが加速される。強力な噴射が生じ、薬剤を鼻腔に搬送する。しかし他方では不愉快に感じる流れの衝撃は生じない。このため空気量を制限する。ピストンの運動によって生ずる空気容積を計量室Ｄの容積の１００倍以上とし、６００倍以下とすると好都合であることが証明された。４ｍｌの空気流に１０ｍｇの粉末状物質が分布される。計量室の容積は約１０ｍｍ３である。空気透過性膜またはカバー４７の孔の大きさは約１μとする。このような関係は、ディスペンサ機構の機械的負荷能力に関しても適切で、器具の寿命は満足される。
【００３８】
床１８のカップの部分を囲む凹部４５は、ピストン頭部１３の凹部５１に移動できる距離を持って突き出している。この部分も半径方向および軸方向に床１８が動くことのできる隙間を有するカップ状を基本としている。ピストン頭部１３およびピストン８は中心に穴が貫通している。相当する開口部は参照番号５２を持っている。これは流体的にポンプのシリンダ室３０に接続され、したがって凹部５１にも接続される。
【００３９】
吸入器１には、ピストン８の移動に関して突出部２５を作動ハンドルとして使用した場合の、手動操作のピストン運動の反応しきい値が与えられる。過負荷の場合に撓んで初期的な支えとなる構成部品はばねリング体５３である。これは一方ではピストン円筒部１５に結合される。リング体はそのためピストン頭部１３の首状の頸部５４のリング溝に取り付けられる。上記のリング体５３は次のように軸方向に拘束される。直径上に対向する２つの突出部がリング溝５５に突き出す。溝はシリンダ壁１１に設けられる。係合溝５５は上側に急勾配な面５６、下側に内側に向って傾斜する面５７を備えている。面５７は反応しきい値を形成する曲がっためがねのつる状の突出部を急激に押し込むので、保持作用が突然崩壊する。ピストン８は突然移動し、シリンダ室３０にある空気を圧縮する。ばね１２と同時にリング体５３の開放力は約２．５ｋｇである。これは人間工学的に最適に制御できる範囲で、ゆっくりと加えることのできる値である。再び開放すると、リング体５３は再びぱちんと係合溝５５に跳ね込んで係合される。これはリング体５３が急勾配な面５６のストッパに制約された基本位置である。
【００４０】
吸入器１の機能は次の通りである。操作する手の指を指で押える面２９に当て、親指によって底板４を握り部に対して押すと、握り部はピストン８を説明した方法によって衝撃的にばね力に対向して下側に動かす。容積的に減少したシリンダ室３０に存在する圧縮された空気は、空気透過膜またはカバー４７を通って貯蔵量２０に対して遮断され、前の操作によって排出量２０’がすでに保持されている計量室Ｄに吹き付ける。強力で同時に減衰された空気に搬送される粉末状の物質が、目的場所例えば鼻腔に達する。このとき弁体４３は弁座面４４から浮き上がる。円筒部内筒２２の面４９および対応する縁５０の間には気密気密閉鎖が発生する。分離された量２０’の排出は姿勢に無関係である。
【００４１】
使用者が吸入器１の操作位置を自由にすると、ばね１２のばね力はピストン８を再び基本位置に移動させる能力がある。この場合ポンプ室すなわちシリンダ室３０の容積は増加する。帽子状の部品である床１８は、新たに生じた負圧によって弾性的復元力に抗して図５ａに示す位置に下側に引っ張られる。（空になった）分離された計量室Ｄは物質と貯蔵室ＳＶに対して開放される。改めて計量室Ｄの充填、すなわち一部は自重、一部は質量の慣性、一部はカップ状の部品が膜またはカバー１７の下方向への空気の透過性の程度、および膜またはカバー４７方向の空気流により強化される、下側への引っ張りによる室容積の増加、何よりも特に下側への移動による容積増加によって、正確に配分された供与量２０’が貯蔵量２０から供与室Ｄに移動する。最初に非常に薄い粉末の層がカバー４７の孔を塞ぐので、開放位置は最初は維持される。底１８の弾性的変位による物質貯蔵室ＳＶの変位の過程で、ピストン８の戻りストロークの間にピストンの後側、正しく言えば下側に生ずる負圧は、負圧の大き過ぎる場合にピストン８の下側に向いたカラー１０が、空気を室３０に吹き組むため壁１１から浮き上がって完全に釣り合いを保つことにより制約される。負圧が存在する間、吸引流は縁５０を円筒部内筒２２の端部の対向面４９から浮き上がらせる。欠点のない充填が行われる（図５ｂ）。粉末状の物質はシリンダ室３０に対して空気透過性の膜またはカバー４７によって保持される。特に物質が常に乾燥しているので、排出量２０’が変わることはない。ピストン８が再び高い位置（図３）になると、床１８は弾性的な復元運動によって再び図３による閉鎖位置となり、その上方向への移動は計量室Ｄへ均一で充分な充填にとって好都合である。密閉および開放位置の間に円筒部内筒２２は交互に縁５０に接触し、常に分離された計量室Ｄを確実に閉鎖された気密位置に保ち、さらにダクト２１の僅かな過圧を放出することができる。
【００４２】
搬送流を矢印ｙ、流入空気流を矢印ｚで示す。
【００４３】
係合位置２８は充填のため開放できるように形成する。
【００４４】
第２の実施態様による手動操作吸入器１は、詳細な説明した第１の実施態様で実現した基本形態に原則的にも構造的にもできるだけ対応している。対応する開示内容は基本形態から読み取れるので、参照記号は理解のために必要な限り一部は文章で繰返すことなく準用している。
【００４５】
図７により計量室Ｄの変更が行われる。円筒状内筒２２の下側端部ａの軸方向に後退した部分に形成される対向閉鎖面４９の代りに、上記の円筒部内筒２２の中空の端面により直接設けられる。解決策としての詳細は、計量室Ｄを空気透過性膜またはカバー４７上の端面の拡大範囲に直接取り付けられる排出ダクト２１で形成する。押し付けて取り付けられる排出ダクト２１は、ばね１２のばねストロークの場合に、外側に広がった拡大範囲とともに説明したように固定されたカバー状体から浮き上がる。幾何学的にこの拡大範囲は漏斗２１’である。いうまでもなく弾性的な復元力のある空気透過性膜またはカバー４７が一体となっている床１８は下側に離れて動き続いて上昇する。そのため、ここでもカップ状の物体の周囲は軸方向および半径方向に外側に自由な凹部５１が設けられる。
【００４６】
床１８の周囲は縦方向に回転対称の傾斜を有している。床は円筒部１５およびここでも設けられるピストン頭部１３の間の係合位置１６の範囲で確実に拘束される。
【００４７】
計量室Ｄを取囲む床１８の周囲の壁５８は、いわゆるカップ状の形状で具体的に円錐台形である。これは植木鉢に似た構造で、計量室Ｄの周囲の壁５８は排出方向に広がっており、矢印ｙによって該当する排出流を分り易くした。
【００４８】
計量室Ｄの周囲の壁５８は、弾性材料から構成され物質貯蔵質ＳＶの床１８と一体である。
【００４９】
円錐台状の周囲壁５８は、円筒形内筒２２の端部の対応する周囲壁に対して充填できる距離を有している。後方に向って回転対称に先が細くなるリング帯は、計量室Ｄの漏斗状のカバーの脚部に有利な蒐集ダクトを直接提供する。
【００５０】
リングリブ状に形成され空気透過性の膜またはカバー４が取り付けられる漏斗２１’の縁は、ほぼ計量室凹部４５の穴４６に相当する直径を備えている。
【００５１】
計量室Ｄの容積および粉末状物質に必要な空気流量に関しては、ここでも同じパラメータがある。構造的に、シリンダ壁１１はケース２とともに形成されるシリンダ３ではなく、底板４によって形成される。これは短円筒５９により形成される。短円筒５９はケースに下側から差し込んで固定される。短円筒は首部３２が突き出すケース２の肩部の手前に軸方向の距離を残して達する。互いに組み込まれる係合部を参照符号６０で示す。係合部は普通の係合突起および適合する係合溝から構成される。
【００５２】
上記の肩部に対する上記の軸方向距離は、リング体５３用の係合溝５５を得るために使用され、ここでも急勾配の面５６および傾斜する面５７が設けられる。傾斜する面は短円筒５９の漏斗形を形成する端面である。
【００５３】
底キャップ４の中央は、この場合も圧縮コイルばねとして実現されるばね１２用のばね室を形成するため利用される。ばね室の形成はキャップの床４から突き出すリング壁６１である。リング壁６１の計量室側の端面はピストン頭部１３に対する制限ストッパとして機能する。硬い部品が硬い部品に当たる。
【００５４】
第２の実施態様における対象においては，乾燥剤室５はリング室として構成され、収容する小球６のカバーはリング状の穴付板７かシートである。
【００５５】
吸入器１の作動範囲に関しては、同じ構造が使用される。基本形態に対する差異は、粉末貯蔵室の貯蔵量２０との圧力的な平衡のため、中央の流入ダクト２４を空気を誘導する２重ダクトに置き換えたことである。これは図９に示される。ここで２４を付した空気流入ダクトはウエスト状またはウエスト形の支持面のくびれ２６の中心面にある。このダクトは中央の排出ダクト２１の同じ面の両側を伸びる。このダクトは中央の排出ダクト２１より大きな断面を備えている。その比は約２：１である。同じ平面にあるこの孔はくびれ２６を深く切り込んで形成し，それに相当する大きな面積の指の支え面２９を形成することができる。
【００５６】
弁体３３の機能および作動方法は基本形態に対応しているが、弁座面４４が物質貯蔵室ＳＶの床１８にずっと近い位置を占め、弁体３３が全体として長く構成されていることが異なる。
【００５７】
弁体４３から床側に中心棒６２が突き出している。これは円筒形内筒２２の断面の小さな区間に突き出している。
【００５８】
第３の実施態様におれる手動操作吸入器１（図１０）に関して、機能的および構造的な特徴は前に説明した実施例の範囲内である。ここでも参照記号は、前述の解決策から読み取れるので一部は文章的な繰り返し無しで準用している。
【００５９】
さらに発展させた差異は、計量室の開放および閉鎖運動を制御するためのピストンの配置である。説明した前の例に対して、計量室Ｄばねの荷重が加えられた円筒部１５の基本位置で、計量室Ｄは物質貯蔵室ＳＶに開放される。操作、放置などの場合も，吸入器１に粉末状物質が好都合に重力によって集まるよう、室Ｄへの充填路は開放されている。排出操作時に始めて計量室Ｄは閉じ、いわばなでるようにして粉末状の物質の過剰な貯蔵が押しのけられる。このためさらに好都合な圧縮効果が加わる。これは空気流量に対する粉末粒子量の割合を使用し、さらに計量室の床を空気透過性の膜またはカバー４７により形成して、正確に再現される排出量２０’を提供する。
【００６０】
計量室Ｄを対応して開放しておくため、ビストン８またはピストンカラー全体を引張ピストンＳｃｈとして構成する。
【００６１】
引っ張りから押し出しへの切替により、開放または閉鎖が行われる。構造的には、計量室Ｄを物質貯蔵室ＳＶに対して、円筒部１５および計量室を形成するピストンカラー間の無効ストロークＬＨによって開くことにより解決する。対応する両方のピストンを形成する部品の間の挙動は図１１により明らかである。ここで対象とする吸入器１の大きさで開放ストロークは０．３ｍｍである。したがって対応する距離が、弁を補強する円筒部内筒２２の対向閉鎖面４９および対応するピストン側の縁５０の間に存在する。操作位置はこれに対して図１１に示されるように計量室Ｄは閉鎖されている。
【００６２】
説明した引張ピストンの機能を得るため、円筒部１５とともに形成される空間１７の物質貯蔵室ＳＶの床１８は、硬い部品として構成されるピストン頭部の代りにピストン８と強固に結合されるか一体である。実際上は全体的な形成で一体化される。
【００６３】
このようにピストンカラーの一部を構成する床１８は、排出方向に斜めに形成したカラー６３が、案内シリンダの役目を持つ対応する円筒部１５の内壁に導かれる。ピストン８は部品１０および１１の間の摩擦で保持される。
【００６４】
鋭角に斜めに形成したカラー１８は床１８に斜めの壁として接続される。これはピストン８の背部に計量室と距離を置いて固定される。これは粉末状物質が滑りながら中心に向かう効果を持つ漏斗である。関連するピストン８の背部は平面、すなわち吸入器１の縦方向の軸ｘ−ｘに対して垂直である。
【００６５】
床の部分１８を形成するピストン８は，計量室に対して凹部４５を備えている。上側すなわち排出方向から見て、凹部４５は円錐弁６５の対抗閉鎖面４９と共同作用する縁５０で終了する。円錐弁はゴムまたは同等品からなる弁Ｖで，円筒部内筒２２の下側端部に係合して取り付けられる。円錐弁６５は実際に円錐かまたはピラミッド状の形状である。円錐に近い形状は図１６から明らかで、これに対しむしろピラミッド状の形状は図１７および１８から明らかである。弁Ｖは計量室の構成部である凹部４５を覆い、中空の円錐側の体積はピストン背部の平面上の追加体積となるように接続される。したがって弁Ｖは、リング状の周囲から供給され頂上まで満たされる上部構造を実現する。これは貯蔵量２０から分離された排出量２０’を「打ち抜く」ような作用をする。分離作用は、図１１から明らかなように操作が開始されると終了し、すでに最初の僅かなストロークが開始されている。円筒部１５の下方向への移動によって行われる閉鎖の間に、摩擦によるブレーキ作用とともに弁Ｖをピストン８に押し付ける。ずっと前に説明した抵抗は、軽い与圧でシリンダ壁１１を滑るカラー１０によって生じる。明らかなようにシリンダ壁１１の形成に関する条件は、第２の実施例で説明した通りである。参照記号は準用してある。しかし床板４と一体の短円筒５９は、その外周面で周囲のばね室６６を限定し、ばね１２はその外周面に案内されて上記の短円筒５９およびケース２の外壁６７の間に収納される。
【００６６】
円筒部１５を開放すると、ばね１２は円筒部１５を、円筒部１５の首部５４に直接噛み合うリング体５３が、ケース２の突起によるストッパで制約され、再び係合溝５５に嵌め込まれる、図１０に示される基本位置に動かす。突起は外壁５７および首部３２の間の肩部である。
【００６７】
計量室Ｄは開かれ、このようにして説明したようピストン８の後側に発生する負圧によって粉末状物質によって満たされる。ピストン８は引っ張られた位置に保持される。無効ストロークＬＨを利用できるようにする円筒部１５に対する相対変位は、ピストンカラーのカラー部６８が、対応する円筒部内筒１５の内壁のピストン側の端部の幅の広い切欠６９に噛み合うことにより発生する。同伴作用は上記の切欠６９の下側の面により行われる。切欠６９の上側の面は底を形成するピストンカラーの背部と無効ストロークＬＨ以上離れている。説明した位置の間と同じ距離のストッパとして縁５０と対向閉鎖面４９の間を使用することができる。しかし、カラー部６８および切欠６９の間で同伴させることが好ましい。
【００６８】
一部はピストンカラーの凹部４５から、一部は上側に取り付けた円錐弁６５の空間から形成される計量室Ｄは、弁Ｖを被せることによって円錐弁の空間の尖った先端まで充填される。しかし一方で閉鎖圧力は、固められた物質を開放するには適切でなく、説明した器具の操作が必要である。
【００６９】
円錐弁６５に関してなお説明しなければならないことは、例えば十字の切り込みにより得られる逆止弁的な作用をする弁フラップ７０は、常に確実な開放および閉鎖動作を行う。さらに弁フラップ７０は、排出方向に関して尖った唇状体７１によって厚くしてある。唇状体７１は弁フラップ７０の厚さよりも広い面で互いに接触する。分離切り込み位置は形状的に適切に補正される。唇状体７１を形成するため例えば図１４に示すようにその裏側の窪みを少なくしてもよい。
【００７０】
弁フラップ７０に充分な開放自由空間を与えるため、排出ダクト２１の矢印ｙの排出方向に伸びる区間は充分に広い円筒を設け、この断面の大きな空間と接続するため図示した漏斗２１’を経由させる。
【００７１】
ピストン８および円筒部１５の挿入組立ては、当該ビストン材料の固有の弾性によって容易に行われる。普通は連続した傾斜面とする挿入のために必要な形状的な対策も追加して考慮することができる（図示されていない）。
【００７２】
基本的に物質を空気で搬送して霧状に排出する上記で吸入器と名付けた器具は、色彩および有毒物質の噴霧器として、例えば塗布器、粉末計量器、粉末スプレなどの別の用途に使用することができる。
【００７３】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００７４】
手動操作吸入器として利用できる。
【図面の簡単な説明】
【００７５】
【図１】第１の実施態様による、保護キャップを閉じた手動操作吸入器の拡大した側面図である。
【図２】図１の俯瞰図である。
【図３】ピストンにばねによる荷重が加えられた基本位置を図示した、キャップを閉じた吸入器の長手方向断面図である。
【図４】動作位置の吸入器で、同じく長手方向断面図である。
【図５ａ】上側にばねによる荷重が直接加えられた物質貯蔵室の底の中間位置を抜粋したもので、すなわち開いたばかりの投与室における（理論的な）投与室の容積的な拡大を図示したものである。
【図５ｂ】少し後の中間位置で、すでに満たされている投与室である。
【図６】吸入器のカバーの支えの詳細である。
【図７】第２の実施態様による、ピストンにばねによる荷重が加えられた基本位置を図示した、キャップを閉じた吸入器の拡大した長手方向断面図である。
【図８】動作位置の吸入器で、同じく長手方向断面図である。
【図９】図８の線ＩＸ−ＩＸにおける断面図である。
【図１０】第３の実施態様による、ピストンにばねによる荷重が加えられた基本位置を図示した、キャップを閉じた吸入器の拡大した長手方向断面図である。
【図１１】初期段階の動作位置の吸入器で、同じく長手方向断面図である。
【図１２】終期段階の動作位置の吸入器で、同じく長手方向断面図である。
【図１３】図１０による基本位置を図示した投与室の範囲の拡大図である。
【図１４】単独に図示した弁である。
【図１５】引き離して開放された弁の、投与室の範囲の拡大図である。
【図１６】円錐形弁として形成された弁の俯瞰図である。
【図１７】ピラミッド形弁として形成された弁の図１６に対応する図である。
【図１８】対応するピラミッド形のみの立体的図示である。
【図１】
2006502752.tif 000003
【図２】
2006502752.tif 000004
【図３】
2006502752.tif 000005
【図４】
2006502752.tif 000006
2006502752.tif 000007
2006502752.tif 000008
【図６】
2006502752.tif 000009
【図７】
2006502752.tif 000010
【図８】
2006502752.tif 000011
【図９】
2006502752.tif 000012
【図１０】
2006502752.tif 000013
【図１１】
2006502752.tif 000014
【図１２】
2006502752.tif 000015
【図１３】
2006502752.tif 000016
【図１４】
2006502752.tif 000017
【図１５】
2006502752.tif 000018
【図１６】
2006502752.tif 000019
【図１７】
2006502752.tif 000020
【図１８】
2006502752.tif 000021
【国際調査報告】
2006502752.tif 000022
2006502752.tif 000023
2006502752.tif 000024
2006502752.tif 000025
2006502752.tif 000026
2006502752.tif 000027
2006502752.tif 000028
2006502752.tif 000029